(57)【要約】      （修正有）【課題】シャワーを浴びている最中にシャワーヘッドを交換したい場合、シャワーを浴びながらでも手軽に他のシャワーヘッドに交換できるようにするための、シャワーヘッド用ホルダーを提供する。【解決手段】使用中のシャワーヘッドを設置すると共に、使用していないシャワーヘッドを仮置きすることができるシャワーヘッド用ホルダー１０であって、シャワーヘッド用ホルダー設置部２０と、使用している状態のシャワーヘッドとホースの連続体を設置するためのヘッドホース設置部３０と、使用していない状態のシャワーヘッドを仮置きするためのヘッド仮置部４０を備えている。ヘッドホース設置部４０は、シャワーヘッドの径、及びシャワーホースの径と略同一の径を備えたヘッドホース取り付け部５０を備えており、ヘッド仮置部４０は、交換用のシャワーヘッドを収めることができるヘッド設置用凹部６０、及びヘッド設置用凹部６０の下面に複数の貫通穴を備えている。【選択図】図１
0003210508.tif 000002
【実用新案登録請求の範囲】
【請求項１】
使用中のシャワーヘッドを設置すると共に、使用していないシャワーヘッドを仮置きすることができるシャワーヘッド用ホルダーであって、
シャワーヘッド用ホルダー設置部と、
使用している状態のシャワーヘッドとホースを設置するためのヘッドホース設置部と、
使用していない状態のシャワーヘッドを仮置きするためのヘッド仮置部を備えており、
前記ヘッドホース設置部は、前記シャワーヘッドの径、及びホースの径と略同一の径を備えたヘッドホース取り付け部を備えており、
前記ヘッド仮置部は、前記シャワーヘッドを収めることができるヘッド設置用凹部、及び前記ヘッド設置用凹部の下面に複数の貫通穴を備えていることを特徴とするシャワーヘッド用ホルダー。
【請求項２】
複数のヘッド仮置部を備えることを特徴とする請求項１に記載のシャワーヘッド用ホルダー。
【考案の詳細な説明】
【技術分野】
【０００１】
本考案は、１回のシャワータイムの中でシャワーヘッドを交換したい場合、シャワーを浴びながらでも手軽に他のシャワーヘッドに交換できるようにするための交換用のシャワーヘッドを仮置きする機能を付加したシャワーヘッド用ホルダーに関する。
【背景技術】
【０００２】
最近のシャワーヘッドは、単にお湯（或いは水）を噴出させる機能のみではなく、様々な機能が付加されている。例えば、節水機能（高速かつ大量の空気を一気に取り込み、シャワー水流をボリュームアップして一気に噴出し、水の勢いは衰えさせず最大50％の節水）、水流（水圧）調整機能、保湿保温美肌機能、マッサージ機能、塩素除去機能等の種々の機能を備えたシャワーヘッドが開発されている。
【０００３】
このように様々な機能を備えるようになったシャワーヘッドであるが、例えば、シャワーから噴出する水流（水圧）は個人の好みにより、水流（水圧）が弱くて物足りないという人がいる、一方で水流（水圧）は比較的弱い方が好みであるという人もいる。現在、かかる場合には、同一のシャワーヘッドを使用して蛇口から出る水量を調整するのでは無く、好みの水流（水圧）に合わせて、（例えば、水流が柔らかくなるようなマイクロバブル仕様の）シャワーヘッドに交換すれば足るように技術は進歩している。また同じ人であっても、１回のシャワータイム中に用途や気分等によって様々な機能を有するシャワーヘッドを使い分けたいという要求もある。
【０００４】
ところが、実際にシャワーヘッドを交換しようとすると、まず、色々な種類のシャワーヘッドを収納しておく場所を確保しなければならないし、交換用のシャワーヘッドが手の届くような場所にない場合は、シャワーヘッドを交換するためにいちいちシャワーを止めてセットし直す必要があり、非常に面倒であり好ましくない。このため、簡単にシャワーを浴びながら手軽にシャワーヘッドが交換できる製品が望まれていた。
【０００５】
特許文献１には、「浴室小物を整理・収納したまま、物掛け具を取り外しかつ取り付けが容易で、移動・運搬が簡単にできる軽量で、デザイン性にも優れた差込式物入れ具を提供することを目的とする（特許文献１：要約：課題）」ことを課題として、「浴室の壁面に設けられた既存のシャワーヘッド用保持具に差し込むための差込部と、シャワーヘッドを抜き差しするとともに保持するための開口部が設けられた代替保持具とが基部と一体的に連結されており、差込部および代替保持具が壁面に対して垂直方向であって、かつ差込部が壁面側で代替保持具が壁面から遠い側に配置され、差込部および代替保持具を中心にして、その両側に一体構造の物入れ部が配置されたことを特徴とする（特許文献１：要約：解決手段から抜粋）」浴室用差込式物入れ具（特許文献１：発明の名称）が開示されている。
【先行技術文献】
【特許文献】
【０００６】
【特許文献１】特開２０１５−１０８２９０
【考案の概要】
【考案が解決しようとする課題】
【０００７】
特許文献１に係る考案は、浴室用小物を整理・収納したまま、移動・運搬が簡単にできる軽量性およびデザイン性に優れた浴室用差込式物入れ具を提供することを目的とするものであり、確かに浴室用小物であるシャワーヘッドを一体構造の物入れ部に仮置きできるようになっているものの、シャワーヘッドを仮置きすることに特化したものではない。そのため、浴室用小物（シャワーヘッド等）を整理・収納する必要がない場合は、この部分が嵩張ってしまい、かつ、デザイン的にもスッキリしないため好ましいものではなく、実際の使用の場面においても使用しない交換用シャワーヘッドを、浴室用差込式物入れ具の一体構造の物入れ部に収納してしまうと、交換用シャワーヘッドが固定されているわけでは無いため、使用中のシャワーヘッドを手で持った状態で使用することはできない（要するに、シャワーヘッドを手に持った状態でシャワーを浴びることができない）ので非常に使い勝手の悪いものになってしまうことになり好ましくない。
【０００８】
本考案の目的は、１回のシャワータイムの中でシャワーヘッドを交換したい場合、シャワーを浴びながらでも手軽に他のシャワーヘッドに交換できるようにするための交換用のシャワーヘッドを仮置きする機能を付加したシャワーヘッド用ホルダーを提供することにある。
【課題を解決するための手段】
【０００９】
上記課題を解決するために、本願請求項１に記載した考案は、使用中のシャワーヘッドを設置すると共に、使用していないシャワーヘッドを仮置きすることができるシャワーヘッド用ホルダーであって、
シャワーヘッド用ホルダー設置部と、
使用している状態のシャワーヘッドとホースを設置するためのヘッドホース設置部と、
使用していない状態のシャワーヘッドを仮置きするためのヘッド仮置部を備えており、
前記ヘッドホース設置部は、前記シャワーヘッドの径、及びホースの径と略同一の径を備えたヘッドホース取り付け部を備えており、
前記ヘッド仮置部は、前記シャワーヘッドを収めることができるヘッド設置用凹部、及び前記ヘッド設置用凹部の下面に複数の貫通穴を備えていることを特徴とするシャワーヘッド用ホルダーであることを特徴とするものである。
【００１０】
本願請求項２に記載した考案は、請求項１に記載した考案において、複数のヘッド仮置部を備えるシャワーヘッド用ホルダーであることを特徴とするものである。
【考案の効果】
【００１１】
本考案によれば、従来のシャワーヘッドを設置する箇所に本考案に係るシャワーヘッド用ホルダーを設置するためのシャワーヘッド用ホルダー設置部と、使用している状態のシャワーヘッドとシャワーホースの連続体を設置するためのヘッドホース設置部と、使用していない状態のシャワーヘッドを仮置きするためのヘッド仮置部（複数のヘッド仮置部を備えていてもよい）を備えている。ヘッドホース設置部は、シャワーヘッドの径、及びシャワーホースの径と略同一の径を備えたヘッドホース取り付け部を備えているので使用する際は、ヘッドホース設置部に使用するシャワーヘッドとホースの連続体を設置して、ヘッド仮置部に使用しないシャワーヘッドを設置した状態で、シャワーヘッド用ホルダー設置部を（従来のシャワーヘッドを設置する箇所に）挿入しておくことができる。
【００１２】
本考案の特徴的な部位であるヘッド仮置部は、交換用のシャワーヘッドを収めることができるヘッド設置用凹部、及びヘッド設置用凹部の下面に複数の貫通穴を備えている。従って、シャワーを浴びている最中にシャワーヘッドを交換したい場合、シャワーを浴びながらでも使用中のシャワーヘッドを取り外し、代わりにヘッド仮置部に仮置きした交換用のシャワーヘッドを取り付けることができるので、手軽にシャワーヘッドの交換ができるようになった。また、ヘッド設置用凹部の下面に複数の貫通穴を備えているので、使用していたシャワーヘッドに付着した水分がヘッド設置用凹部の下面から落下してヘッド設置用凹部の底に水が溜まることが無い。
【図面の簡単な説明】
【００１３】
【図１】本考案に係るシャワーヘッド用ホルダーの全体図である。
【図２】シャワーヘッド用ホルダーの使用状態を示した図である。
【図３】既設ハンガーとシャワーヘッド用ホルダーの全体斜視図である。
【考案を実施するための形態】
【００１４】
＜シャワーヘッド用ホルダーの構造＞
以下、本考案に係るシャワーヘッド用ホルダー１０について、図１〜図３を参照しつつ詳細に説明する。図１は、本考案に係るシャワーヘッド用ホルダー１０の全体図である。
【００１５】
本考案に係るシャワーヘッド用ホルダー１０は、使用中のシャワーヘッドを設置すると共に、使用していないシャワーヘッドを仮置きすることができるシャワーヘッド用ホルダー１０であって、シャワーヘッド用ホルダー設置部２０と、使用している状態のシャワーヘッドとホースの連続体を設置するためのヘッドホース設置部３０と、使用していない状態のシャワーヘッドを仮置きするためのヘッド仮置部４０を備えている。ヘッドホース設置部４０は、シャワーヘッドの径、及びシャワーホースの径と略同一の径を備えたヘッドホース取り付け部５０を備えており、ヘッド仮置部４０は、交換用のシャワーヘッドを収めることができるヘッド設置用凹部６０、及びヘッド設置用凹部６０の下面に複数の貫通穴（図示しない）を備えている。
【００１６】
図２は、本考案に係るシャワーヘッド用ホルダー１０の使用状態を示した図である。本考案に係るシャワーヘッド用ホルダー１０は、従来のシャワーヘッドを設置する部分に、シャワーヘッド用ホルダー設置部２０を挿入することにより設置することができるようになっている。図２に記載したように、使用するシャワーヘッドは、ヘッドホース設置部３０に設置し、交換用のシャワーヘッドは、ヘッド仮置部４０にワンタッチ脱着方式等により固定してある。ここで強調したいのは、交換用のシャワーヘッドがシャワーヘッド用ホルダー１０に取り外し自在に固定された状態で仮置きされているということである。このような構成により、シャワーヘッドを手で持った状態で使用したい場合は、シャワーヘッド用ホルダー１０ごと手に持って使用できるようになっている。
【００１７】
図３は、既設ハンガーとシャワーヘッド用ホルダー１０の全体斜視図である。図３に記載したように、本考案に係るシャワーヘッド用ホルダー１０は、既設ハンガーをそのまま利用することができる構造になっている。本考案に係るシャワーヘッド用ホルダー１０を既設ハンガーに設置した際、容易に脱落しないように脱落防止用のストッパーを設置することもできる。
【００１８】
＜シャワーヘッド用ホルダーの効果＞
本考案の特徴から考えられる最大の効果は、多様化する時代のニーズに合わせ、「シャワーヘッドも使い分ける時代へ」という時代の変化に対応できるようになったということである。お風呂でシャワーを浴びた際に水圧や節水等が気になった場合、シャワーヘッドを交換することにより、これらの問題を解決することができるようになったことである。即ち、肌が気になるのであれば柔らかい水流が出るシャワーヘッド、サッと済ませたいのであれば水圧の強い水流が出るシャワーヘッド等というように、その日の調子や気分でシャワーヘッドを選択できるようになったのである。勿論、一回のシャワータイムの中で、各人の好みによりシャワーヘッドを取り換えることもできるようになったのである。
【００１９】
本考案によれば、従来のシャワーヘッドを設置する箇所に本考案に係るシャワーヘッド用ホルダーを設置するためのシャワーヘッド用ホルダー設置部２０を備えている。そして、使用している状態のシャワーヘッドとシャワーホースの連続体を設置するためのヘッドホース設置部３０と、使用していない状態のシャワーヘッドを仮置きするためのヘッド仮置部４０を備えている。図２においては、２つの交換用のシャワーヘッドがヘッド仮置部４０に設置されているが、ヘッド仮置部４０はこれに限定されることが無く、必要数に応じてヘッド仮置部４０を設置することができるのは言うまでもない。
【００２０】
ヘッドホース設置部３０は、シャワーヘッドの径、及びシャワーホースの径と略同一の径を備えたヘッドホース取り付け部５０を備えているので使用する際は、ヘッドホース設置部に使用するシャワーヘッドとホースの連続体を設置して、ヘッド仮置部４０に使用しないシャワーヘッドを設置した状態で、シャワーヘッド用ホルダー設置部２０を従来のシャワーヘッドを設置する箇所である既設ハンガーに設置しておくことができる。
【００２１】
ヘッド仮置部４０は、交換用のシャワーヘッドを収めることができるヘッド設置用凹部６０、及びヘッド設置用凹部６０の下面に複数の貫通穴（図示しない）を備えている。従って、シャワーを浴びている最中にシャワーヘッドを交換したい場合、シャワーを浴びながらでも使用中のシャワーヘッドを取り外し、代わりにヘッド仮置部４０に仮置きした交換用のシャワーヘッドを取り付けることができる。従って、手軽にシャワーヘッドの交換ができるようになった。また、ヘッド設置用凹部６０の下面に複数の貫通穴（図示しない）を備えているので、使用していたシャワーヘッドに付着した水分がヘッド設置用凹部６０の下面から落下してヘッド設置用凹部６０の底に水が溜まることが無い。
【００２２】
＜シャワーヘッド用ホルダーの変更例＞
本考案に係るシャワーヘッド用ホルダーは、上記実施形態の態様に何ら限定されるものではなく、シャワーヘッド用ホルダー設置部、ヘッドホース設置部、ヘッド仮置部、ヘッドホース取り付け部、ヘッド設置用凹部、貫通穴等の構成を、本考案の趣旨を逸脱しない範囲で、必要に応じて適宜変更することができる。
【産業上の利用可能性】
【００２３】
本考案に係るシャワーヘッド用ホルダーは、上記の如く優れた効果を奏するものであるので、シャワーヘッドに関する分野において好適に用いることができる。
【符号の説明】
【００２４】
１０・・シャワーヘッド用ホルダー
２０・・シャワーヘッド用ホルダー設置部
３０・・ヘッドホース設置部
４０・・ヘッド仮置部
５０・・ヘッドホース取り付け部
６０・・ヘッド設置用凹部
【図１】
0003210508.tif 000003
【図２】
0003210508.tif 000004
【図３】
0003210508.tif 000005